(57)【要約】【課題】対象領域に実在する個人を考慮してデマンド制御を行うことができる電力管理システムを提供する。【解決手段】電力管理システムは、対象領域にいる個人を検出する検出部と、対象領域にいる個人の属性に基づいて、当該対象領域の設備のデマンド制御を行う際の優先順位を変更する変更部と、を備えた。当該構成により、対象領域に実在する個人を考慮してデマンド制御を行うことができる。このため、特別の個人に対して不快感を低減させる等の効果を得ることができる。【選択図】図１
2014096860.tif 000002
【特許請求の範囲】
【請求項１】
対象領域にいる個人を検出する検出部と、
対象領域にいる個人の属性に基づいて、当該対象領域の設備のデマンド制御を行う際の優先順位を変更する変更部と、
を備えたことを特徴とする電力管理システム。
【請求項２】
前記検出部は、対象領域の出入口に設けられた認証装置の認証結果に基づいて、当該対象領域に対する個人の出入りを検出することを特徴とする請求項１に記載の電力管理システム。
【請求項３】
前記変更部は、対象領域の設備への電力供給が遮断されている際に当該対象領域に入った個人の属性が特別の属性の場合は、当該対象領域の設備へ電力を供給する設定に変更することを特徴とする請求項１又は請求項２に記載の電力管理システム。
【請求項４】
前記変更部は、個人が対象領域に入った際に当該個人の属性に基づいて当該対象領域の設備のデマンド制御を行う際の優先順位を変更した後、当該個人が当該対象領域から出た際に、当該対象領域の設備のデマンド制御を行う際の優先順位を予め設定されていた優先順位に戻すことを特徴とする請求項３に記載の電力管理システム。
【発明の詳細な説明】
【技術分野】
【０００１】
この発明は、電力管理システムに関するものである。
【背景技術】
【０００２】
対象領域に属する個人の情報を予め登録し、当該情報に基づいて当該対象領域の設備のデマンド制御を行う電力管理システムが提案されている（例えば、特許文献１参照）。
【先行技術文献】
【特許文献】
【０００３】
【特許文献１】特開２００５−２９１５８８号公報
【特許文献２】特開２０１１−１０４９７号公報
【特許文献３】特開２０１１−２２０６０８号公報
【特許文献４】特開平６−３８３６９号公報
【特許文献５】特開平９−９５０２号公報
【発明の概要】
【発明が解決しようとする課題】
【０００４】
しかしながら、特許文献１に記載の電力管理システムは、個人の実在を監視していない。このため、個人が当該対象領域内に実在するか否かにかかわらず、予め決められた情報に基づいて当該対象領域の設備のデマンド制御が行われる。
【０００５】
この発明は、上述の課題を解決するためになされたもので、対象領域に実在する個人を考慮してデマンド制御を行うことができる電力管理システムを提供することである。
【課題を解決するための手段】
【０００６】
この発明に係る電力管理システムは、対象領域にいる個人を検出する検出部と、対象領域にいる個人の属性に基づいて、当該対象領域の設備のデマンド制御を行う際の優先順位を変更する変更部と、を備えたものである。
【発明の効果】
【０００７】
この発明によれば、対象領域に実在する個人を考慮してデマンド制御を行うことができる。
【図面の簡単な説明】
【０００８】
【図１】この発明の実施の形態１における電力管理システムに利用される入退室管理システムとビル管理システムの構成図である。
【図２】この発明の実施の形態１における電力管理システムに利用される入退室管理システムの入退室コントローラが管理する情報を説明するための図である。
【図３】この発明の実施の形態１における電力管理システムに利用される入退室管理システムの入退室コントローラでの個人情報の編集方法を説明するための図である。
【図４】この発明の実施の形態１における電力管理システムに利用される入退室管理システムの入退室コントローラの内部処理を説明するためのフローチャートである。
【図５】この発明の実施の形態１における電力管理システムに利用されるビル管理システムのデマンド監視制御装置が管理する情報を説明するための図である。
【図６】この発明の実施の形態１における電力管理システムに利用されるビル管理システムのデマンド監視制御装置によるエリア毎の在不在情報受信処理を説明するためのフローチャートである。
【図７】この発明の実施の形態１における電力管理システムに利用されるビル管理システムのデマンド監視制御装置によるデマンド制御を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電力管理システムに利用される入退室管理システムとビル管理システムの構成図である。
【００１１】
図１に示すように、入退室管理システム１は、入側カードリーダ２、出側カードリーダ３、入退室コントローラ４を備える。入側カードリーダ２は、各エリア（対象領域）の外側において当該エリアの出入口近傍に設けられる。出側カードリーダ３は、各エリアの内側において当該エリアの出入口近傍に設けられる。入退室コントローラ４は、各入側カードリーダ２と各出側カードリーダ３とに接続される。
【００１２】
ビル管理システム５は、空調機６、照明７等の設備、デマンド監視制御装置８を備える。空調機６、照明７等の設備は、各エリアに設けられる。デマンド監視制御装置８は、電力管理システムとして、検出部８ａ、制御部８ｂを備える。検出部８ａは、入退室コントローラ４に接続される。制御部８ｂは、各エリアの空調機６、照明７等の設備に接続される。制御部８ｂには、電力計９が接続される。
【００１３】
入退室管理システム１においては、カード（図示せず）が個人に配布される。当該カードには、個人番号が記録される。個人番号は、当該個人に固有の番号からなる。
【００１４】
個人が各エリアに入る際、個人は、当該エリアの入側カードリーダ２に対しカードを操作する。当該操作により、入側カードリーダ２は、個人番号を検出した後に認証する。その後、入側カードリーダ２は、自らの識別子と認証した個人番号とを通行通知として入退室コントローラ４に通知する。当該通行通知に基づいて、入退室コントローラ４は、エリア毎の在不在情報として、個人番号に対応した個人が当該入側カードリーダ２のあるエリアに入ったことを管理する。この際、入退室コントローラ４は、個人番号に対応した個人が特別の属性か否かを管理する。
【００１５】
個人が各エリアから出る際、個人は、当該エリアの出側カードリーダ３に対しカードを操作する。当該操作により、出側カードリーダ３は、個人番号を検出した後に認証する。その後、出側カードリーダ３は、自らの識別子と検出した個人番号とを通行通知として入退室コントローラ４に通知する。当該通行通知に基づいて、入退室コントローラ４は、エリア毎の在不在情報として、個人番号に対応した個人が当該出側カードリーダ３のあるエリアから出たことを管理する。この際、入退室コントローラ４は、個人番号に対応した個人の属性が特別の属性か否かを管理する。
【００１６】
ビル管理システム５においては、デマンド監視制御装置８の検出部８ａは、エリア毎の在不在情報とエリア毎に特別の属性の個人がいるか否かの情報を入退室コントローラ４から受信する。デマンド監視制御装置８の制御部８ｂは、電力計９の監視結果に基づいて予め設定された優先順位に基づいて、空調機６、照明７等の設備のデマンド制御を行う。この際、デマンド監視制御装置８の制御部８ｂは、変更部として、特別の属性の個人がいるエリアの設備のデマンド制御を行う際の優先順位を変更する。
【００１７】
次に、図２を用いて、入退室コントローラ４が管理する情報を説明する。
図２はこの発明の実施の形態１における電力管理システムに利用される入退室管理システムの入退室コントローラが管理する情報を説明するための図である。
【００１８】
図２に示すように、入退室コントローラ４は、個人情報１０、エリア情報１１、エリア在室情報１２を管理する。個人情報１０、エリア情報１１、エリア在室情報１２は、入退室コントローラ４のメモリ上に記憶される。
【００１９】
個人情報１０においては、「氏名」と「特別な人属性」とが個人番号に対応付けられる。「氏名」は、当該個人番号が記録されたカードを携帯する個人の氏名である。「特別な人属性」は、当該個人番号が記録されたカードを携帯する個人の属性が特別の属性か否かを示すものである。各エリアへのアクセスを高度に制限する際は、各エリアへの入室権限、入室可能な時間帯等が個人番号に対応付けられることもある。
【００２０】
エリア情報１１においては、「エリア名称」、「入側ＣＲ」、「出側ＣＲ」がエリア番号に対応付けられる。「エリア名称」は、各エリアを特定するものである。「入側ＣＲ」は、各エリアに設けられた入側カードリーダ２を一意に区別する識別子である。「出側ＣＲ」は、各エリアに設けられた出側カードリーダ３を一意に区別する識別子である。
【００２１】
エリア在室情報１２においては、「個人番号」がエリア番号に対応付けられる。「個人番号」は、当該エリア番号に対応したエリアにいる個人を特定するものである。エリア在室情報１２においては、個人の入室時刻等、付属の情報が保持される場合もある。
【００２２】
次に、図３を用いて、個人情報１０の編集方法を説明する。
図３はこの発明の実施の形態１における電力管理システムに利用される入退室管理システムの入退室コントローラでの個人情報の編集方法を説明するための図である。
【００２３】
図３に示すように、入退室コントローラ４の表示部には、編集画面１３が表示される。編集画面１３には、「個人番号」の欄、「氏名」の欄、「特別な人属性」のチェックボックス１４が表示される。これらの欄等を用いて、個人情報１０が編集される。すなわち、個人番号等が追加、変更、削除される。
【００２４】
例えば、個人の属性を特別の属性とする場合は、「レ」がチェックボックス１４に付される。個人の属性を特別の属性としない場合は、「レ」がチェックボックス１４から外される。この状態で、登録ボタン１５を選択すれば、個人の属性が更新される。キャンセルボタン１６を選択すれば、表示中の個人情報１０が消去される。
【００２５】
次に、図４を用いて、入退室コントローラ４の内部処理を説明する。
図４はこの発明の実施の形態１における電力管理システムに利用される入退室管理システムの入退室コントローラの内部処理を説明するためのフローチャートである。
【００２６】
ステップＳ１では、入退室コントローラ４は、入側カードリーダ２又は出側カードリーダ３からの通行通知を待つ。入退室コントローラ４が通行通知を受信すると、ステップＳ２に進む。ステップＳ２では、入退室コントローラ４は、通行通知に指定されたカードリーダの識別子でエリア情報１１を検索し、対応したエリア番号とカードリーダの種類を特定する。その後、ステップＳ３では、入退室コントローラ４は、カードリーダの種類を判定する。
【００２７】
ステップＳ３でカードリーダが入側カードリーダ２の場合は、ステップＳ４に進む。ステップＳ４では、入退室コントローラ４は、エリア番号と通行通知に指定された個人番号とを持つレコードをエリア在室情報１２に追加する。
【００２８】
その後、ステップＳ５に進み、入退室コントローラ４は、エリア在室情報１２に存在するエリア番号を持つレコードの全ての個人番号について、「特別な人属性」が「あり」のレコード数を数える。その後、ステップＳ６では、入退室コントローラ４は、当該エリア番号と当該エリアにいる人数と「特別の人属性」が「あり」のレコード件数とをエリア毎の在不在情報としてデマンド監視制御装置８に通知する。その後、ステップＳ１からの動作が繰り返される。
【００２９】
ステップＳ３でカードリーダが出側カードリーダ３の場合は、ステップＳ７に進む。ステップＳ７では、入退室コントローラ４は、エリア在室情報１２の通行通知に指定されたエリア番号を持つレコードから通行通知に指定された個人番号のレコードを削除する。
【００３０】
その後、ステップＳ５に進み、入退室コントローラ４は、エリア在室情報１２に存在するエリア番号を持つレコードの全ての個人番号について、「特別な人属性」が「あり」のレコード数を数える。その後、ステップＳ６では、入退室コントローラ４は、当該エリア番号と当該エリアにいる人数と当該エリアにいる「特別な人属性」が「あり」のレコード件数とをエリア毎の在不在情報としてデマンド監視制御装置８に通知する。その後、ステップＳ１からの動作が繰り返される。
【００３１】
次に、図５を用いて、デマンド監視制御装置８が管理する情報を説明する。
図５はこの発明の実施の形態１における電力管理システムに利用されるビル管理システムのデマンド監視制御装置が管理する情報を説明するための図である。
【００３２】
図５に示すように、デマンド監視制御装置８は、デマンド制御レベル情報１７、エリア設備情報１８、エリア在室者情報１９、デマンド制御状態情報２０を管理する。デマンド制御レベル情報１７、エリア設備情報１８、エリア在室者情報１９、デマンド制御状態情報２０は、デマンド監視制御装置８のメモリ上に記憶される。
【００３３】
デマンド制御レベル情報１７においては、「使用量」、「エリア番号」、「調光レベル」がデマンド時限内の優先順位を決めるレベルに対応付けられる。「使用量」は、使用電力である。「エリア番号」は、当該レベルに属するエリアに対応したエリア番号である。「調光レベル」は、照明７の全輝度に対する明るさの割合である。
【００３４】
エリア設備情報１８においては、「空調機信号」、「調光信号」がエリア番号に対応付けられる。「空調機信号」は、当該エリア番号に対応したエリア内の空調機に対する運転指示信号である。「調光信号」は、当該エリア番号に対応したエリア内の照明７の照度に関する信号である。
【００３５】
エリア在室者情報１９においては、「在室者数」、「特別な人数」がエリア番号に対応付けられる。「在室者数」は、当該エリア番号に対応したエリア内にいる個人の数である。「特別な人数」は、当該エリア番号に対応したエリア内にいる「特別な人属性」が「あり」の個人の数である。
【００３６】
デマンド制御状態情報２０においては、「制御」がレベルに対応付けられる。「制御」は、当該レベルがデマンド制御の対象となっているか否かを表すものである。
【００３７】
次に、図６を用いて、デマンド監視制御装置８によるエリア毎の在不在情報受信処理を説明する。
図６はこの発明の実施の形態１における電力管理システムに利用されるビル管理システムのデマンド監視制御装置によるエリア毎の在不在情報受信処理を説明するためのフローチャートである。
【００３８】
ステップＳ１１では、検出部８ａは、入退室コントローラ４からのエリア番号と当該エリアにいる人数と当該エリアにいる「特別な人属性」が「あり」のレコード件数との受信を待つ。その後、ステップＳ１２では、制御部８ｂは、エリア在室者情報１９において当該エリアのレコードの「在室者数」、「特別な人数」を更新する。
【００３９】
次に、図７を用いて、デマンド監視制御装置８が常時行うデマンド制御を説明する。
図７はこの発明の実施の形態１における電力管理システムに利用されるビル管理システムのデマンド監視制御装置によるデマンド制御を説明するためのフローチャートである。
【００４０】
ステップＳ３１では、制御部８ｂは、電力計９から得たデマンド時限内の電力使用量に基づいて、デマンド時限内の電力を予測する。まず、制御部８ｂは、全レベルにおいてデマンド制御を行わない状態での電力の予測値を求める。ステップＳ３２では、レベル（Ｌｖ値）を１にする。ステップＳ３３では、制御部８ｂは、電力の予測値が目標値を超過したか否かを判定する。
【００４１】
ステップＳ３３で電力の予測値が目標値を超過していない場合は、ステップＳ３４に進む。ステップＳ３４では、制御部８ｂは、レベルが最大レベルか否かを判定する。ステップＳ３４でレベルが最高レベルの場合は、ステップＳ３１からの動作が繰り返される。
【００４２】
ステップＳ３３で電力の予測値が目標値を超過している場合は、ステップＳ３５に進む。ステップＳ３５では、制御部８ｂは、デマンド制御レベル情報１７において当該レベルのエリア番号からエリア在室者情報１９を参照し、当該レベルのエリアの「特別な人数」を参照する。その後、ステップＳ３６に進み、制御部８ｂは、当該エリアの「特別な人数」が０か否かを判定する。
【００４３】
ステップＳ３６で当該エリアの「特別な人数」が０の場合は、ステップＳ３７に進む。ステップＳ３７では、制御部８ｂは、デマンド制御状態情報２０において当該レベルが制御「あり」か「なし」かを判定する。
【００４４】
ステップＳ３７で当該レベルが制御「なし」の場合は、ステップＳ３８に進む。ステップＳ３８では、制御部８ｂは、デマンド制御状態情報２０において当該レベルを制御「あり」に更新する。その後、ステップＳ３９に進み、制御部８ｂは、当該レベルのエリアの対象設備を制御する。例えば、制御部８ｂは、空調機６をＯＦＦにする空調機信号と照明７の調光レベルに関する調光信号とを出力する。
【００４５】
ステップＳ３７で当該レベルが制御「あり」の場合とステップＳ３９の後は、ステップＳ４０に進む。ステップＳ４０では、制御部８ｂは、当該レベルのエリアの電力使用量を電力の予測値から引く。
【００４６】
その後、ステップＳ４１に進み、制御部８ｂは、Ｌｖ値をインクリメントする。その後、ステップＳ４２に進み、制御部８ｂは、電力の予測値が目標値を超過したか否かを判定する。
【００４７】
ステップＳ４２で電力の予測値が目標値を超過していない場合は、ステップＳ３４からの動作が繰り返される。これに対し、電力の予測値が目標値を超過している場合は、ステップＳ４３に進む。ステップＳ４３では、レベルが最大レベルか否かを判定する。
【００４８】
ステップＳ４３でレベルが最大レベルでない場合は、ステップＳ３５からの動作が繰り返される。これに対し、レベルが最大レベルの場合は、ステップＳ４４に進む。ステップＳ４４では、制御部８ｂは、デマンド制御不能異常発生と判定する。その後、ステップＳ３１からの動作が繰り返される。
【００４９】
ステップＳ３６で当該エリアの「特別な人数」が０でない場合は、ステップＳ４５に進む。ステップＳ４５では、制御部８ｂは、デマンド制御状態情報２０において当該レベルが制御「あり」か「なし」かを判定する。
【００５０】
ステップＳ４５で当該レベルが制御「あり」の場合は、ステップＳ４６に進む。ステップＳ４６では、制御部８ｂは、デマンド制御状態情報２０において当該レベルを制御「なし」に更新する。その後、ステップＳ４７に進み、制御部８ｂは、当該レベルのエリアの対象設備を復帰させる。例えば、制御部８ｂは、空調機６での空調を復元する空調機信号と照明７の調光レベルを元に戻す調光信号とを出力する。
【００５１】
ステップＳ４５で当該レベルが制御「なし」場合とステップＳ４７の後は、電力の予測値は目標値を超過した状態を維持している。この場合、ステップＳ４１からの動作が繰り返される。
【００５２】
ステップＳ３４でレベルが最高レベルでない場合は、ステップＳ４８に進む。ステップＳ４８では、制御部８ｂは、デマンド制御状態情報２０において当該レベルが「制御」ありか否かを判定する。
【００５３】
当該レベルが「制御」ありの場合は、ステップＳ４９に進む。ステップＳ４９では、制御部８ｂは、デマンド制御状態情報２０において当該レベルを制御「なし」に更新する。その後、ステップＳ５０に進み、制御部８ｂは、当該レベルのエリアの対象設備を復帰させる。例えば、制御部８ｂは、空調機６での空調を復元する空調機信号と照明７の調光レベルを元に戻す調光信号とを出力する。
【００５４】
ステップＳ４８で当該レベルが制御「なし」の場合とステップＳ５０の後は、ステップＳ５１に進む。ステップＳ５１では、制御部８ｂは、Ｌｖ値をインクリメントする。その後、ステップＳ３４からの動作が繰り返される。
【００５５】
以上で説明した実施の形態１によれば、エリアにいる個人の属性に基づいて、当該エリアの設備のデマンド制御を行う際の優先順位が一時的に変更される。このため、エリアに実在する個人を考慮してデマンド制御を行うことができる。その結果、特別の個人に対して不快感を低減させることができる。
【００５６】
例えば、清掃員、調整員等があまり使用されない部屋、普段は無人になるショールーム等に短時間在室する際は、空調機６を停止して電力使用量を減らすことができる。これに対し、重要な顧客、海外からの来賓、会社の上級役員等に対しては、「特別な人属性」を設定すればよい。この場合、これらの者があまり使用されない部屋、普段は無人になるショールーム等を利用する際、空調機６、照明７等、環境に関する設備を通常通り動作させることができる。
【００５７】
また、エリアに対する個人の出入りは、入退室管理システム１の認証結果が利用される。このため、エリアのセキュリティを高めつつ、特別の個人に対して不快感を低減させることができる。
【００５８】
また、エリアの設備への電力供給が遮断されている際に当該エリアに入った個人に「特別な人属性」が設定されている場合は、当該エリアの設備への電力が供給される。このため、特別の個人が当該エリアに入った際に、特別の個人に対して不快感を低減させることができる。
【００５９】
また、特別の個人がエリアから出た際に、当該エリアの設備のデマンド制御を行う際の優先順位は、予め設定されていた優先順位に戻る。このため、公平なデマンド制御を維持することができる。
【００６０】
なお、レベルが最大レベルに達した後にエリアに在室する特別の個人の数に基づいて、デマンド制御を行ってもよい。この場合、特別の個人の数の少ないエリアは、特別の個人の数が多いエリアより優先的にデマンド制御を行えばよい。その結果、全てのエリアに特別の個人がいる場合でも、デマンド制御の効果を得ることができる。
【００６１】
また、特別の個人の属性を多値のレベルに設定してもよい。この場合、レベルが最大レベルに達した後にエリアに在室する特別の個人のレベルに基づいて、各エリアの設備をデマンド制御する際の優先順位を変更すればよい。例えば、最重要顧客を社内の上級役員よりも優先度を高いレベルとすればよい。この場合、エリア内の特別の個人のレベルの総和又はエリア内の特別の個人の属性の高低に基づいて、各エリアの設備をデマンド制御する際の優先順位を決定すればよい。
【００６２】
また、突発的に来場する来賓等に対してスケジュールで通行を許可してもよい。すなわち、来賓等が通行する可能性があるエリアに対して来賓等の通行を許可する時間帯を指定してもよい。この場合、来賓等を特別の個人として設定し、当該個人が当該スケジュールの示す時間帯に当該エリアに実在しなくても、当該エリアの設備をデマンド制御の対象外としてもよい。この際、来賓等が当該エリアを通行する前に当該エリアを涼しくしたり暖かくしたりしておいてもよい。
【００６３】
また、デマンド制御の対象は、空調機６、照明７以外の設備でもよい。すなわち、デマンド制御の対象の設備と特別な人がいる可能性のあるエリアの設備とを関連付けておけばよい。
【００６４】
また、個人を識別できるものであれば、カードリーダ以外の識別装置でもよい。例えば、指紋認証装置での指紋認証結果に基づいて、個人を識別してもよい。
【００６５】
また、工場等、ビル以外の建築物等に対して当該電力管理システムを適用してもよい。
【符号の説明】
【００６６】
１  入退室管理システム、  ２  入側カードリーダ、  ３  出側カードリーダ、  ４  入退室コントローラ、  ５  ビル管理システム、  ６  空調機、  ７  照明、  ８  デマンド監視制御装置、  ８ａ  検出部、  ８ｂ  制御部、  ９  電力計、  １０  個人情報、  １１  エリア情報、  １２  エリア在室情報、  １３  編集画面、  １４  チェックボックス、  １５  登録ボタン、  １６  キャンセルボタン、  １７  デマンド制御レベル情報、  １８  エリア設備情報、  １９  エリア在室者情報、  ２０  デマンド制御状態情報
【図１】
2014096860.tif 000003
【図２】
2014096860.tif 000004
【図３】
2014096860.tif 000005
【図４】
2014096860.tif 000006
【図５】
2014096860.tif 000007
【図６】
2014096860.tif 000008
【図７】
2014096860.tif 000009